(57)【要約】【課題】従来のものでは、水道工事後は配管の錆や工事時に混入した汚泥等が混じった汚れた水が減圧弁１０に流入してしまって、減圧弁１０に汚泥等の不純物が付着してしまう問題と共に、複数の開閉手段を使用していたので部品のコストがかかってしまう問題があった。【解決手段】給水管２の途中にある減圧弁１０よりも上流に給水管２の流路と排水管１１の流路とを切り替えることができる三方弁１２を設けることで、配管の錆や工事時に混入した汚泥等が混じった汚れた水を減圧弁９に付着する前に排水できると共に、三方弁１２のみで切り替え動作を行う事ができる。【選択図】図１
2015169385.tif 000002
【特許請求の範囲】
【請求項１】
湯水を貯湯する貯湯タンクと、前記貯湯タンク内の湯水を加熱する加熱手段と、前記貯湯タンクに水を給水する給水管と、前記給水管の流路の途中にある給水圧力を調整する減圧弁と、前記減圧弁よりも上流で前記給水管と分岐する排水管と、前記給水管と前記排水管との分岐点に設けられた前記給水管の流路と前記排水管の流路とを切り替える三方弁と、前記三方弁の切り替え制御を行う制御装置を備えたことを特徴とする貯湯式給湯装置。
【請求項２】
前記制御装置と通信可能に接続されるリモコンに、前記三方弁の切り替えを指示する排水スイッチを設けたことを特徴とする請求項１記載の貯湯式給湯装置。
【発明の詳細な説明】
【技術分野】
【０００１】
この発明は、貯湯タンクを備えた貯湯式給湯装置に関するものである。
【背景技術】
【０００２】
従来より、この種の貯湯式給湯装置は、市水から供給した水を加熱手段で温め、温めた湯水を貯湯タンク等に蓄え、使用目的に応じて貯湯タンク内の湯水を給湯していた。
【０００３】
しかし、水道工事などを行った直後の市水は、配管の錆や工事時に混入した汚泥等が混じった汚れた水であり、そのまま貯湯タンク内に給水してしまうと貯湯タンク内が汚れてしまうので、洗面所や台所の給水栓で汚れた水が綺麗になるまで水を出していなければならず非常に手間がかかっていた。また、汚れた水が貯湯タンク内の水と混じってしまうと、貯湯タンク内の水をすべて排出した後、貯湯タンクを洗浄しなければならず、非常に手間がかかってしまう。
【０００４】
そこで、水道工事の断水を検知すると、水道工事の断水直後に貯湯タンクへの給水経路を開閉する給水開閉手段を閉状態にし、給水開閉手段より上流側に設けた排水開閉手段を開状態にすることで汚れた水が貯湯タンク内に流入するのを防いでいたものがあった（特許文献１）。
【先行技術文献】
【特許文献】
【０００５】
【特許文献１】特許第５０５００００号公報
【発明の概要】
【発明が解決しようとする課題】
【０００６】
しかし、特許文献１のようなものでは、給水経路中の排水開閉手段より上流側に設けられている減圧弁を、水道工事直後の配管の錆や工事時に混入した汚泥が汚してしまうという問題があった。
【０００７】
また、特許文献１のようなものでは、貯湯タンクへの給水経路を開閉する給水開閉手段と、給水開閉手段より上流に設けた排水開閉手段とを設けており、複数の開閉手段が必要になるため部品数の増加分のコストアップという問題があった。
【課題を解決するための手段】
【０００８】
湯湯水を貯湯する貯湯タンクと、前記貯湯タンク内の湯水を加熱する加熱手段と、前記貯湯タンクに水を給水する給水管と、前記給水管の流路の途中にある給水圧力を調整する減圧弁と、前記減圧弁よりも上流で前記給水管と分岐する排水管と、前記給水管と前記排水管との分岐点に設けられた前記給水管の流路と前記排水管の流路とを切り替える三方弁と、前記三方弁の切り替え制御を行う制御装置を備えた。
【０００９】
前記制御装置と通信可能に接続されるリモコンに、前記三方弁の切り替えを指示する排水スイッチを設けた。
【発明の効果】
【００１０】
このように本発明によれば、給水管内の減圧弁よりも上流に、給水方向と排水方向に流路を切り替える事ができる三方弁を設けたことで、水道工事で配管の錆や工事時に混入した汚泥等が混じった汚れた水が貯湯タンク内や減圧弁に流入するのを防ぎ、容易に外部へ排水することができると共に、三方弁だけで切り替え動作を行う事ができるので安価で部品数がすくなく使い勝手の良い排水制御を行う事ができる。
【図面の簡単な説明】
【００１１】
【図１】本発明の第１実施形態の貯湯式給湯装置の概略構成図
【図２】本発明の第１実施形態を説明するためのフローチャート図
【発明を実施するための形態】
【００１２】
本発明のヒートポンプ貯湯式給湯装置の第一実施形態を図１に基づいて説明する。
１は湯水を貯湯する貯湯タンク、２は貯湯タンク１の下部に接続された給水管、３は貯湯タンク１の上部に接続された給湯管、４は貯湯タンク１内の市水を加熱するヒートポンプ式加熱手段、５は貯湯タンク１とヒートポンプ式加熱手段４をつなぐヒートポンプ循環配管である。
【００１３】
６は給水管２の途中で分岐する給水バイパス管、７は給湯管３を流れる湯水と給水バイパス管６を流れる市水を適宜の比率で混合して給湯設定温度あるいは風呂設定温度に調整する混合弁、８は混合弁７によって混合された湯水を出す給湯栓である。
【００１４】
９は市水を供給する供給口、１０は不純物を取り除くフィルターを有した給水圧を減圧するための減圧弁、１１は減圧弁１０よりも上流で分岐した排水管、１２は給水管２の流路と排水管１１の流路とを切り替える事ができる三方弁、１３は排水管１１から排水された水を下水道に流す排水ホッパーである。
【００１５】
１４はマイコン等からなる各センサの出力に基づいて所定の演算を行い機器の運転を制御すると共に三方弁１２の切り替え制御を行う制御装置、１５は使用者が操作することで各種の設定ができる操作部を有し、操作した内容を制御装置１４に通信接続することができるリモコン、１６は貯湯タンク１下部へと接続されている給水管２の流路と排水管１１の流路とを切り替える排水スイッチである。
【００１６】
次に、沸き上げ運転について説明する。
沸き上げ要求があるとヒートポンプ循環５の途中にある図示しない循環ポンプが駆動して、貯湯タンク１内下部から水をくみ上げ、ヒートポンプ式加熱手段４で温めて貯湯タンク１上部に戻す動作を続ける事により徐々に貯湯タンク１内の水が湯水へと沸き上げられる。
【００１７】
次に、給湯動作について説明する。
給湯栓８が開かれると供給口９から市水を供給されて、給水管２の途中に設けられた減圧弁１０で圧力を調整してから貯湯タンク１下部に流入すると共に、給水バイパス管６を通り、貯湯タンク１上部から押し出された湯と給水バイパス管６の水をユーザーが要求した設定温度の比率で混ぜ合わされて、給湯栓８から給湯される。
【００１８】
しかし、水道工事直後に給湯を行うと、貯湯タンク１への給水時に配管の錆や工事時に混入した汚泥が貯湯タンク１内の水に混じり汚れた水になってしまい、貯湯タンク１内の汚れた水を洗浄するには、貯湯タンク１内の水を全部排水してからでなければ洗浄ができないので非常に手間がかかってしまう。
【００１９】
ここで、水道工事直後の排水動作についてフローチャート図に基づいて第１実施形態について説明する。
【００２０】
水道工事が終了したことを確認したユーザーがリモコン１５の排水スイッチ１６をＯＮにしたことを検知すると（Ｓ１）、制御装置１４は三方弁１２を駆動させ、給水管２の流路から排水管１１の流路に切り替え（Ｓ２）、排水管１１を通して供給口９からの水を排水ホッパー１３に排水開始する。
【００２１】
排水を開始してから一定時間（ここでは５分）経過すると（Ｓ３）、制御装置１４は三方弁１２を排水管１１の流路から貯湯タンク１の給水管２の流路に切り替え（Ｓ４）、排水を停止させる。
【００２２】
このように、水道工事終了後に一定時間給水管２の水を排水することで、水道工事の際に出た配管の錆や工事時に混入した汚泥を貯湯タンク１内に流入させずに排水ホッパー１３に排水することができるので、貯湯タンク１内の洗浄する手間をかけずにできると共に、簡単な操作で排水を行う事ができる。
【００２３】
また、減圧弁１０よりも上流で給水管２から分岐する排水管１１の流路を設けた事で、減圧弁１０のフィルターに配管の錆や工事時に混入した汚泥が付着することで減圧弁が詰まることを防止する。
【００２４】
なお、本発明は第１実施形態に限定されるものではなく、要旨を変更しない範囲で改変する事を妨げるものではなく、例えば、排水の一定時間を５分としていたが、５分に限定するものではなく５分以上の時間又は５分以下の時間を一定時間としても良いものである。
【００２５】
また、三方弁１２は水道工事からの復旧を検知する検知手段を設け、工事からの復旧を検知したら自動で三方弁１２を切り替えるようにして、ユーザーが排水スイッチ１６を押さなくても配管内の水を排水し、排水が終わったら給水管２の流路に切り替えることができるようにしても良いものである。
【符号の説明】
【００２６】
１    貯湯タンク
２    給水管
９    供給口
１０  減圧弁
１１  排水管
１２  三方弁
１３  排水ホッパー
１４  制御装置
１５  リモコン
１６  排水スイッチ
【図１】
2015169385.tif 000003
【図２】
2015169385.tif 000004